(57)【要約】【課題】電力開閉器の機能動作を確認するとき、系統の電圧状態を確認しつつ、電力開閉器の開閉を行うことで、点検、保守時における停電や感電などの事故発生を未然に防止する。【解決手段】  電力開閉器１ａに電圧表示器６ａを設け、電圧表示器６ａの押しボタン９が押圧操作されたとき、各ネオンランプ１１の点灯有無によって、三相電力線を構成するＡ相電力線２、Ｂ相電力線３、Ｃ相電力線４の一次側に電源電圧が印加されているか否かを表示する。【選択図】図１
2010170783.tif 000002
【特許請求の範囲】
【請求項１】
三相または単相の電力線に介挿され、前記電力線に供給される電源電圧の遮断／接続を行う電力開閉器において、
電力開閉器を構成する主回路接点の一次側または二次側における電力線上の電圧を検知する検電碍子と、
当該電力開閉器が収納される筐体の所定箇所に設けられ、前記検電碍子による検知電圧が有のとき、この検知電圧によって点灯するランプと、
前記検電碍子とランプとの間に介挿され、外部から表示指示操作がされたときに、前記検電碍子とアースとの間の回路を遮断して、前記検電碍子の検知電圧を前記ランプに導く操作ボタンと、を備え、
前記ランプは、前記検電碍子により電圧有が検知され、かつ前記操作ボタンが操作されているときに点灯して電圧有を報知する、
ことを特徴とする電力開閉器。
【請求項２】
三相または単相の電力線に介挿され、前記電力線に供給される電源電圧の遮断／接続を行う電力開閉器において、
電力開閉器を構成する主回路接点の一次側または二次側における電力線上の電圧を検知する検電碍子と、
当該電力開閉器が収納される筐体の所定箇所に設けられ、前記検電碍子による検知電圧が有のとき、この検知電圧によって点灯するランプと、
を具備することを特徴とする電力開閉器。
【請求項３】
請求項１または２に記載の電力開閉器において、
当該電力開閉器は当該電力開閉器を構成する配電盤内に収納され、前記ランプは配電盤の扉表面に作業員に対して報知可能に設けられ、前記操作ボタンは配電盤の扉表面に作業員による表示指示操作が可能に設けられる、
ことを特徴とする電力開閉器。
【発明の詳細な説明】
【技術分野】
【０００１】
本発明は、受配電分野で使用される断路器や遮断器、開閉器などの電力開閉器に関する。
【背景技術】
【０００２】
受配電分野で広く使用される電力開閉器として、従来、断路器や遮断器、開閉器などが知られている。
【０００３】
断路器は、電力回路が無負荷のとき、電圧を開閉する電力機器であり、基本的には、電流の開閉を行うことができないことから、点検、整備、あるいは修理、改造工事などの際に、下流側を無電圧にする目的で使用される。
【０００４】
遮断器は、電力回路、電力機器が正常に動作しているとき、電路を開閉する電力機器であり、単にスイッチ（Ｓｗｉｔｃｈ）とも呼ばれる。慣用的には、電力回路、電力機器に用いられる大型のものを開閉器、電子機器に用いられる小型のものをスイッチと呼ぶことが多い。
【先行技術文献】
【特許文献】
【０００５】
【特許文献１】特開平３−２０５５７０号公報
【発明の概要】
【発明が解決しようとする課題】
【０００６】
ところで、このような受配電システムでは、電力線に２２〜６６ｋＶもの高電圧が印加されており、保守、点検作業を行うとき、系統状態を確認しながら、多数の電力開閉器を開閉しなければならない。
【０００７】
従来は、電力開閉器を構成する主回路接点のオン／オフに連動して動作する補助接点を設け、この補助接点のオン・オフ状態をランプの点灯・消灯により作業員に報知することとによって電力線への電圧印加の有無を報知する方法がある。
【０００８】
しかし、この方法では、多数の電力開閉器を開閉するとき、主回路接点の一次側電力線、または二次側電力線に本当に電圧が印加されていないかどうかが判別し難く、作業員の作業性を低下させ、また、停電や感電事故発生の要因にもなっていた。特に、多数の電力開閉器を回路の分岐に使い、その回路分岐が複雑になっている場合には、主回路接点のオン／オフ状態の検知のみでは、一次側電力線、または二次側電力線の電圧有無は分かり難いものとなっていた。
【０００９】
一方、電力線の電圧検知をする手法として電力線に変成器を介在させて電圧有無を検知するものの知られているが、変成器は大型で高価であり、多数の電力開閉器が配電盤内に収納されているようなものの電圧検知には不向きである。
【００１０】
本発明は上記の事情に鑑みてなされたものであり、簡単な装置構成でもって、作業員による点検、保守時における停電や感電などの事故発生を未然に防止することができる電力開閉器を提供することを目的としている。
【課題を解決するための手段】
【００１１】
上記の目的を達成するために本発明の第１の特徴は、三相または単相の電力線に介挿され、前記電力線に供給される電源電圧の遮断／接続を行う電力開閉器において、電力開閉器を構成する主回路接点の一次側または二次側における電力線上の電圧を検知する検電碍子と、当該電力開閉器が収納される筐体の所定箇所に設けられ、前記検電碍子による検知電圧が有のとき、この検知電圧によって点灯するランプと、前記検電碍子とランプとの間に介挿され、外部から表示指示操作がされたときに、前記検電碍子とアースとの間の回路を遮断して、前記検電碍子の検知電圧を前記ランプに導く操作ボタンと、を備え、前記ランプは、前記検電碍子により電圧有が検知され、かつ前記操作ボタンが操作されているときに点灯して電圧有を報知する点にある。
【００１２】
また、本発明の第２の特徴は、三相または単相の電力線に介挿され、前記電力線に供給される電源電圧の遮断／接続を行う電力開閉器において、電力開閉器を構成する主回路接点の一次側または二次側における電力線上の電圧を検知する検電碍子と、当該電力開閉器が収納される筐体の所定箇所に設けられ、前記検電碍子による検知電圧が有のとき、この検知電圧によって点灯するランプとを具備する点にある。
【００１３】
また、本発明の第３の特徴は、上記第１、第２の特徴に加えて、当該電力開閉器は当該電力開閉器を構成する配電盤内に収納され、前記ランプは配電盤の扉表面に作業員に対して報知可能に設けられ、前記操作ボタンは配電盤の扉表面に作業員による表示指示操作が可能に設けられる点にある。
【発明の効果】
【００１４】
本発明によれば、簡単な装置構成でもって、作業員による点検、保守時における停電や感電などの事故発生を未然に防止することができる。
【図面の簡単な説明】
【００１５】
【図１】本発明に係る電力開閉器の第１の実施形態を示す構成図である。
【図２】本発明に係る電力開閉器の第２の実施形態を示す構成図である。
【図３】本発明に係る電力開閉器の第３の実施形態を示す構成図である。
【図４】本発明に係る電力開閉器の第４の実施形態を示す構成図である。
【発明を実施するための形態】
【００１６】
＜第１の実施形態＞
図１は本発明による電力開閉器の第１の実施形態を示す構成図である。
【００１７】
この図に示す電力開閉器１ａは、開閉器筐体（配電盤とも称する）5a内に配置されており、Ａ相電力線２、Ｂ相電力線及びＣ相電力線４のそれぞれに介挿された開閉器ＣＢ（以下、主回路接点とも称する）と、この開閉器ＣＢの一次側におけるＡ相電力線２、Ｂ相電力線及びＣ相電力線４に電源電圧が印加されているか否かを各々表示する電圧表示器６ａとを備えている。
【００１８】
電圧表示器６ａは、三相電力線を構成するＡ相電力線２、Ｂ相電力線及びＣ相電力線４の一次側に接続された各検電碍子７を介してＡ相検知電圧、Ｂ相検知電圧及びＣ相検知電圧をそれぞれ取り込む端子台８と、開閉器筐体５ａの扉表面に設けられ作業員などによって押圧操作される押しボタン９と、開閉器筐体５ａの扉表面に設けられＡ相電力線２、Ｂ相電力線及びＣ相電力線４に電圧有が検知されているときに点灯する各電力線別のネオンランプ１１と、変電所付近で発生した雷や開閉器ＣＢの開閉動作などで、Ａ相検知電圧、Ｂ相検知電圧及びＣ相検知電圧に生じるＡ相サージ電流、Ｂ相サージ電流及びＣ相サージ電流をそれぞれアース１０側に逃がすサージアブソーバ１２とを備えている。
【００１９】
押しボタン９は、作業員によって押圧操作されていないとき、端子台８に取り込まれたＡ相検知電圧、Ｂ相検知電圧及びＣ相検知電圧をアース１０に逃がして、電圧有無表示を無効にする。また、作業員によって押圧操作されているとき、端子台８に取り込まれたＡ相検知電圧、Ｂ相検知電圧及びＣ相検知電圧がアース１０に逃げないようにして、電圧有無表示を有効にする。
【００２０】
上記構成において、作業員などによって、押しボタン９が押圧されていないときには、端子台８→押しボタン９→アース１０の経路で、端子台８に印加されているＡ相検知電圧、Ｂ相検知電圧及びＣ相検知電圧を強制的にアース１０に逃がしている。このときには、各ネオンランプ１１は強制的に消灯状態にされる。
【００２１】
一方、作業員などによって、押しボタン９が押圧されているときには、端子台８と、アース１０との間が遮断され、Ａ相検知電圧、Ｂ相検知電圧及びＣ相検知電圧がアース１０に逃げないようにしている。このとき、各検電碍子７により電力線の電圧有が検知されている場合には、各検電碍子７を介して端子台８にＡ相検知電圧、Ｂ相検知電圧及びＣ相検知電圧が印加され、端子台８→各ネオンランプ１１→アース１０なる経路で電流が流れ、各ネオンランプ１１が点灯する。これにより、三相電力線を構成するＡ相電力線２、Ｂ相電力線３及びＣ相電力線４の一次側に電源電圧が印加されていることが表示される。
【００２２】
また、作業員などによって、押しボタン９が押されている状態で、各検電碍子７により電力線の電圧無が検知されている場合には、各検電碍子７を介して端子台８にＡ相検知電圧、Ｂ相検知電圧、Ｃ相検知電圧が印加されない。従って、電流は流れず、各ネオンランプ１１は点灯しないので、Ａ相電力線２、Ｂ相電力線３及びＣ相電力線４の一次側に電源電圧が印加されていないことが分かる。
【００２３】
このように第１の実施形態によれば、電力開閉器１ａに電圧表示器６ａを設け、電圧表示器６ａの押しボタン９が押圧操作されたとき、各ネオンランプ１１の点灯有無によって三相電力線を構成するＡ相電力線２、Ｂ相電力線３、Ｃ相電力線の一次側に電源電圧が印加されているか否かを表示させるようにした。このため、電力開閉器１ａの機能動作を確認させるとき、作業員などに系統の電圧状態を確認させつつ、電力開閉器１ａの開閉を行わせることができる。これによって、受配電システムの点検、保守などを行うとき、電源給電が必要な負荷システムへの意図しない停電、感電事故の発生を未然に防止することができる。また、作業員などが居ないときには、各ネオンランプ１１を消灯させて、各ネオンランプ１１の寿命を長くさせることができ、さらに、電圧検知に大型で高価な変成器などを使用することなく、検電碍子７を使用することで、小型かつ安価に装置を構成することができる。
【００２４】
＜第２の実施形態＞
図２は本発明に係る電力開閉器の第２の実施形態を示す構成図である。なお、同図に置いて図１と同一構成部分については同一符号が付してある。
【００２５】
この図に示す電力開閉器１ｂが図１に示す電力開閉器１ａと異なる点は、押しボタン９を削除し、開閉器筐体５ｂの扉表面に設けられた各ネオンランプ１１の点灯の有無により、三相電力線を構成するＡ相電力線２、Ｂ相電力線３、Ｃ相電力線４の一次側に電源電圧が印加されているか否かを常時、表示させるようにしたことである。
【００２６】
このように第２の実施形態によれば、各ネオンランプによって、三相電力線を構成するＡ相電力線２、Ｂ相電力線３、Ｃ相電力線４の一次側に電源電圧が印加されているか否かを常時、表示させるようにした。このため、受配電システムの点検、保守などの作業を行うとき、スイッチの押し忘れなどに起因する系統状態の把握ミスを未然に防止でき、電源供給を必要とする負荷システムへの意図しない停電や作業員の感電事故等の発生を未然に防止することができる。
【００２７】
以上、第１、第２の実施の形態においては開閉器ＣＢの一次側の電圧有無を検出するように構成したが、開閉器ＣＢの二次側の電圧有無を検出するようにしても良い。この場合には、開閉器ＣＢの後段側（二次側）に検電碍子７を介して電圧表示器６ａ，６ｂを接続すれば良い。
【００２８】
＜第３の実施形態＞
図３は、本発明に係る電力開閉器の第３の実施形態を示す構成図である。
【００２９】
この図に示す電力開閉器１ｃは、単相の電力線２１を遮断する開閉器ＣＢと、電力開閉器１ｃを収容する開閉器筐体２２ｃと、開閉器筐体２２ｃの扉表面に設けられ単相の電力線２１に電圧が印加されているか否かを表示する電圧表示器２３ａとを備えている。
【００３０】
電圧表示器２３ｃは、三相電力線を構成する電力線２１の一次側に接続された検電碍子２４を介して検知電圧を取り込む端子台２５と、作業員などによって、押圧操作されていないとき、端子台２５に取り込まれた検知電圧をアース２７側に逃がし、電圧有無の表示機能を無効にする押しボタン２６と、作業員などによって押しボタン２６が押圧操作され、端子台２５を介して検知電圧が供給されているときに点灯して、電圧有無を表示するネオンランプ２８と、変電所付近で発生した雷や開閉器ＣＢの開閉動作などで、検知電圧に生じるサージ電流をアース２７側に逃がすサージアブソーバ２９とを備えている。
【００３１】
上記構成において、作業員などによって、押しボタン２６が押圧操作されていないとき、端子台２５→押しボタン２６→アース２７なる経路で、端子台２５に印加されている検知電圧を強制的にアース２７に逃がして、ネオンランプ２８を強制的に消灯させる。
【００３２】
また、作業員などによって、押しボタン２６が押圧操作されているときには、端子台２５と、アース２７との間が遮断され、検知電圧がアース２７に逃げないようにしている。これにより、検電碍子２４を介して、端子台２５に検知電圧が印加されているとき、端子台２５→ネオンランプ２８→アース２７なる経路で電流が流れ、ネオンランプ２８が点灯して電力線２１の一次側に電源電圧が印加されていることが表示される。
【００３３】
一方、作業員などによって、押しボタン２６が押圧操作されているときには、検電碍子２４を介して、端子台２５に検知電圧が印加されていなければ、端子台２５→ネオンランプ２８→アース２７なる経路で電流が流れず、ネオンランプ２８は点灯しない。これにより、電力線２１の一次側に電源電圧が印加されていないことが表示される。
【００３４】
このように第３の実施形態によれば、電力開閉器１ｃに電圧表示器２３ｃを設け、電圧表示器２３ｃの押しボタン２６が作業員により押されたとき、ネオンランプ２８の点灯有無によって電力線２１の一次側に電源電圧が印加されているか否かを表示させるようにした。このため、電力開閉器１ｃの機能動作を確認させるとき、作業員などに系統の電圧状態を確認させつつ、電力開閉器１ｃの開閉を行わせることができる。これによって、受配電システムの点検、保守などを行うとき、電源給電が必要な負荷システムへの意図しない停電、感電事故の発生を未然に防止することができる。また、作業員などが居ないときには、ネオンランプ２８を消灯させて、ネオンランプ２８の寿命を長くさせることができ、さらに、電圧検知に大型で高価な変成器などを使用することなく、検電碍子２４を使用することで、小型かつ安価に装置を構成することができる。
【００３５】
＜第４の実施形態＞
図４は、本発明に係る電力開閉器の第４の実施形態を示す構成図である。なお、図３と同一構成部分には、同一符号を付してある。
【００３６】
同図に示す電力開閉器１ｄが図３に示す電力開閉器１ｃと異なる点は、押しボタン２６を削除し、開閉器筐体２２ｄの扉表面に設けられたネオンランプ２８の点灯有無のみで、単相の電力線２１の一次側に電圧が印加されている否かを常時、表示させるようにしたことである。
【００３７】
このように第４の実施形態によれば、ネオンランプ２８によって、単相の電力線２１の一次側に電圧が印加されている否かを常時、表示させるようにした。このため、受配電システムの点検、保守などを行うとき、スイッチの押し忘れなどに起因する系統状態の把握ミスを無くし、電源電圧が必要な負荷システムへの意図しない停電、感電などの事故発生を未然に防止することができる。
【００３８】
以上、第３、第４の実施の形態においては、開閉器ＣＢ（主回路接点）の一次側の電圧の有無を検出して一次側に電圧が印加されている否かを常時、表示させるように構成したが、二次側の電圧の有無を検出して二次側に電圧が印加されている否かを常時、表示させるようにしても良い。この場合には、開閉器ＣＢの後段側（二次側）に検電碍子７を介して電圧表示器６ａ，６ｂを接続すれば良い。
【符号の説明】
【００３９】
１ａ〜１ｄ：電力開閉器
２：Ａ相電力線
３：Ｂ相電力線
４：Ｃ相電力線
５ａ、５ｂ、２２ｃ、２２ｄ：開閉器筐体
６ａ、６ｂ：電圧表示器
７、２４：検電碍子
８、２５：端子台
９、２６：押しボタン（操作ボタン）
１０、２７：アース
１１、２８：ネオンランプ（ランプ）
１２、２９：サージアブソーバ
２１：電力線
ＣＢ：開閉器（主回路接点）
【図１】
2010170783.tif 000003
【図２】
2010170783.tif 000004
【図３】
2010170783.tif 000005
【図４】
2010170783.tif 000006